(57)【要約】      （修正有）【課題】オプチカル・ファイバー接続器内の光伝送モジュール及び光接収モジュールを個別的に隔離することによって、光伝送及び接収モジュール相互間の光干渉及び電気干渉を有効に避けることのできるオプチカル・ファイバー接続器の光隔離装置を提供する。【解決手段】光伝送モジュール２１及び光接収モジュール２２を個別的に隔離することによって、光伝送及び接収モジュール相互間の光干渉及び電気干渉を有効に避けるべく、伝導特性を有する二つの導電カバー体３をそれぞれオプチカル・ファイバー接続器１内の光伝送モジュール及び光接収モジュールの上に被せ、導電カバー体の前端に開口３１を開設し、且つ導電カバー体の下端に下向きに接続ピン３２を延伸する、上述各構成部品の組成によって、本件オプチカル・ファイバー接続器の光隔離装置を形成する。【選択図】図１
0003144642.tif 000002
【実用新案登録請求の範囲】
【請求項１】
オプチカル・ファイバー接続器の中に位置決め台座を設置すると共に、位置決め台座の上に光伝送モジュール及び光接収モジュールを設置し、
二つの導電カバー体の側辺に開口を開設し、且つ導電カバー体下端の適所に下方へ接続ピンを延伸し、
前記導電カバー体は、光伝送モジュール及び光接収モジュールにそれぞれ被せられ、
先ず上述二つの導電カバー体を光伝送モジュール及び光接収モジュールにそれぞれ被せることによって、光伝送モジュール及び光接収モジュールを別々に隔離することができることを特徴とするオプチカル・ファイバー接続器の光隔離装置。
【請求項２】
前記導電カバー体は、導電プラスチック（conductive plastic）、銅合金(copper alloy)、又はステンレススチール(stainless steel)等の導電材質であってよいことを特徴とする請求項１に記載のオプチカル・ファイバー接続器の光隔離装置。
【請求項３】
前記二つの導電カバー体の開口は、光伝送モジュールの伝送側及び光接収モジュールの接収側とそれぞれ対応設置されていることを特徴とする請求項１に記載のオプチカル・ファイバー接続器の光隔離装置。
【請求項４】
前記接続ピンは、電気干渉をオプチカル・ファイバー接続器の外部に排除できることを特徴とする請求項１に記載のオプチカル・ファイバー接続器の光隔離装置。
【考案の詳細な説明】
【技術分野】
【０００１】
本考案は、オプチカル・ファイバー接続器の光隔離装置、特に光伝送モジュール及び光接収モジュールを個別的に隔離することのできるオプチカル・ファイバー接続器の光隔離装置に関するものである。
【背景技術】
【０００２】
現在、データ伝送及び信号チャネルのパス・バンド・ワイズに対するニーズが益々高まっている、そこで、オプチカル・ファイバー技術が研究開発され、この技術によって、伝送上低損失で、ワイズバンド、不導電、不感応、スモールサイズ、湾曲半径が小さく、且つ重量が軽いなどの長所が備わり、オプチカル・ファイバー通信は次第にネットワーク伝送の主な媒介者となっている。
【０００３】
オプチカル・ファイバーは、ネットワーク伝送に広く応用されている、現在電子製品に対する軽薄短小のニーズが主流となっている中で、オプチカル・ファイバー接続器内の光伝送モジュール及び光接収モジュール相互間の距離は益々短くなっている、従って、光伝送モジュール及び光接収モジュールの相互間に光干渉及び電気干渉が生じやすく、このことは光の伝送及び接収の安定性を有効に保持できない原因となっている。
【０００４】
これでわかるように、上述従来方式には尚幾多の欠点があり、よい設計とは言い難く、改良が待たれていた。
【０００５】
本考案者は、上述従来方式に派生する各項欠点に鑑み、極力新規改善を試み、且つ長年苦心研鑽の末、ついに本件オプチカル・ファイバー接続器の光隔離装置の研究開発に成功した。
【考案の開示】
【考案が解決しようとする課題】
【０００６】
本考案の目的は、オプチカル・ファイバー接続器内の光伝送モジュール及び光接収モジュールを個別的に隔離することによって、光伝送及び接収モジュール相互間の光干渉及び電気干渉を有効に避けることのできるオプチカル・ファイバー接続器の光隔離装置を提供することにある。
【０００７】
本考案のもう一つの目的は、構造が簡単で、操作が容易且つ低コストで製作できるオプチカル・ファイバー接続器の光隔離装置を提供することにある。
【課題を解決するための手段】
【０００８】
上述実用新案の目的を達成できるオプチカル・ファイバー接続器の光隔離装置は、主として、オプチカル・ファイバー接続器と、二つの導電カバー体などの構成部品からなる；前記オプチカル・ファイバー接続器は、オプチカル・ファイバーをその中に差し込むことができ、そして、オプチカル・ファイバーのオプチカル・ファイバー糸はオプチカル・ファイバー接続器内の光伝送モジュール及び光接収モジュールと接続され、更に二つの導電カバー体によってそれぞれ光伝送モジュール及び光接収モジュールの外部をカバーし、前記導電カバー体の前端には開口部を開設し、開口を設置することによって、光伝送モジュール及び光接収モジュールの伝送側及び接収側をそれぞれ二つの導電カバー体の開口と対応設置させ、導電カバー体下端の適所に接続ピンを下方へ延伸させ、電気干渉（例えば、電磁波などのノイズ）を光接続器の外部に排除する、上述各構成部品の組成によって、本件オプチカル・ファイバー接続器の光隔離装置を形成する。
【考案の効果】
【０００９】
本考案に係るオプチカル・ファイバー接続器の光隔離装置は、その他従来の技術に比べ、更に下記のような長所がある、
１．本考案は、オプチカル・ファイバー接続器内の光伝送モジュール及び光接収モジュールを別々に隔離し、光伝送モジュールと光接収モジュール相互間の光干渉及び電気干渉を効果的に避けることができる。
２．本考案は、構造が簡単で、操作が容易且つ低コストで製作できるオプチカル・ファイバー接続器の光隔離装置を提供する。
【考案を実施するための最良の形態】
【００１０】
図一から図三は、本考案に係るオプチカル・ファイバー接続器の光隔離装置の斜視図である、主として、
オプチカル・ファイバー接続器１と、位置決め台座２と、二つの導電カバー体３と、を含み、
前記オプチカル・ファイバー接続器１の内部には、収容槽１１があり、更にオプチカル・ファイバー接続器１の前端には、オプチカル・ファイバー４を差し込むための二つのオプチカル・ファイバー差込穴１２があり、
前記位置決め台座２の上には、光伝送モジュール２１及び光接収モジュール２２が設置され、前記光伝送モジュール２１には伝送側２１１があり、光接収モジュール２２には、接収側２２１があり、前記位置決め台座２は、オプチカル・ファイバー接続器１の収容槽１１の中に収容されて、
前記二つの導電カバー体３の側辺に開口３１が開設され、且つ導電カバー体下端の適所に下方へ接続ピン３２が延伸され、前記導電カバー体３は、それぞれ光伝送モジュール２１及び光接収モジュール２２に被せてあり（図二参照）、前記導電カバー体３は、導電プラスチック（conductive plastic）、銅合金(copper  alloy )、又はステンレススチール(stainless steel)の導電材質であってよく、前記二つの導電カバー体３の開口３１は、それぞれ光伝送モジュール２１及び光接収モジュール２２の伝送側２１１、接収側２２１と対応設定され、前記接続ピン３２は電気干渉（例えば、電磁波などのノイズ）を光接続器１の外部に排除することができる。
【００１１】
先ず上述の二つの導電カバー体３を、それぞれ光伝送モジュール２１及び光接収モジュール２２の上に被せ、次に位置決め台座２をオプチカル・ファイバー接続器１の収容槽１１の中に収容すると、光伝送モジュール２１及び光接収モジュール２２に対してそれぞれ隔離することができ、これによって相互間の光干渉及び電気干渉を効果的に避け、オプチカル・ファイバーの光伝送及び光接収における品質を効果的に確保することができる。
【００１２】
上述詳細な説明は、本考案の実施可能な一実施例の具体的説明であり、但し該実施例は、本考案の特許請求範囲を制限するものではなく、凡そ本考案の技芸精神を逸脱せずになされる等価実施又は変更は、全て本考案の特許請求の範囲に含まれるものとする。
【００１３】
以上を総合すると、本考案は、空間形態上で確かに創造的であるのみならず、従来の物品に比べ、上述幾多の効能があり、新規性及び進歩性の法定実用新案登録の要件を十分満たしておるものとして、ここに申請を提出するしだいである。
【図面の簡単な説明】
【００１４】
【図１】本考案に係るオプチカル・ファイバー接続器の光隔離装置の斜視分解図である。
【図２】前記オプチカル・ファイバー接続器の光隔離装置の斜視部分結合図である。
【図３】前記オプチカル・ファイバー接続器の光隔離装置の斜視結合図である。
【符号の説明】
【００１５】
１      オプチカル・ファイバー接続器
１１    収容槽
１２    オプチカル・ファイバー挿込み穴
２      位置決め台座
２１    光伝送モジュール
２１１  伝送側
２２    光接収モジュール
２２１  接収側
３      導電カバー体
３１    開口
３２    接続ピン
４      オプチカル・ファイバー
【図１】
0003144642.tif 000003
【図２】
0003144642.tif 000004
【図３】
0003144642.tif 000005